(57)【要約】【課題】オートスキャン機能によるチャンネル獲得の際に、受信状態に拘わらずユーザの所望するチャンネルを適切に獲得することができるテレビジョン放送受信装置を提供する。【解決手段】チューナ部２０にて選局可能なチャンネルに対応する全周波数について所定の信号強度のテレビ放送信号であるか否かを判断して適切に受信可能なチャンネルを自動的に獲得するオートスキャン処理において、受信状態が強電界状態であるか或いは弱電界状態であるかを設定する為のユーザー操作を受け付けると共に、上記ユーザー操作に基づき上記所定の信号強度の設定を変更して、強電界状態の設定では不要チャンネルの獲得を減らす一方で弱電界状態の設定ではより多くのチャンネルを獲得する。【選択図】図５
2009094968.tif 000002
【特許請求の範囲】
【請求項１】
ユーザによって選択されたチャンネルに対応するテレビジョン放送信号を選局して受信するチューナ部と、該チューナ部にて選局可能なチャンネルに対応する全周波数について所定の信号強度のテレビ放送信号であるか否かを判断して適切に受信可能なチャンネルを自動的に獲得するオートスキャン手段とを備えるテレビジョン放送受信装置において、
受信状態が強電界状態であるか或いは弱電界状態であるかを設定する為のユーザー操作を受け付けると共に、上記ユーザー操作に基づき上記所定の信号強度の設定を変更して、強電界状態の設定では上記オートスキャン手段による不要チャンネルの獲得を減らす一方で弱電界状態の設定ではより多くのチャンネルを上記オートスキャン手段に獲得させるチャンネル獲得条件変更手段を備えることを特徴とするテレビジョン放送受信装置。
【請求項２】
上記オートスキャン手段は、上記テレビジョン放送信号から抽出された水平同期信号のハイ／ローを同期信号閾値を基準に反転させ、反転後の反水平同期信号のハイ期間が所定期間維持された場合に受信可能なチャンネルを獲得し、
上記チャンネル獲得条件変更手段は、弱電界状態の設定の方が強電界状態の設定よりも高くされた上記同期信号閾値及び弱電界状態の設定の方が強電界状態の設定よりも短くされた上記所定期間の少なくとも一方を変更することで上記所定の信号強度の設定を変更することを特徴とする請求項１に記載のテレビジョン放送受信装置。
【請求項３】
上記オートスキャン手段は、上記反水平同期信号のハイ期間では該反水平同期信号がハイとなった時点を起点として単位ステップを計数すると共に該単位ステップを所定単位ステップ分だけ計数したか否かを判断することで、上記反水平同期信号のハイ期間が所定期間維持されたか否かを判断し、
上記チャンネル獲得条件変更手段は、弱電界状態の設定の方が強電界状態の設定よりも少なくされた上記所定単位ステップを変更することで上記所定期間を変更することを特徴とする請求項２に記載のテレビジョン放送受信装置。
【請求項４】
上記オートスキャン手段は、
上記反水平同期信号のハイ期間では上記単位ステップを用いて上記所定単位ステップを零に向かってカウントダウンする一方で上記反水平同期信号のロー期間では上記単位ステップを用いて上記所定単位ステップをカウントアップすると共に、上記反水平同期信号がハイとなった時点を起点として上記単位ステップを用いて第２所定単位ステップを零に向かってカウントダウンし、
上記第２所定単位ステップを零とするまでの間に、上記所定単位ステップが零となったか否かを判断することで、上記反水平同期信号のハイ期間が上記所定期間維持されたか否かを判断することを特徴とする請求項３に記載のテレビジョン放送受信装置。
【請求項５】
上記チャンネル獲得条件変更手段は、受信状態が強電界状態であるか或いは弱電界状態であるかに加えて強電界状態と弱電界状態との間の標準電界状態であるかを設定する為のユーザー操作を受け付け可能であると共に、強電界状態の設定では上記オートスキャン手段による不要チャンネルの獲得を標準電界状態の設定よりも減らす一方で弱電界状態の設定では標準電界状態の設定よりも多くのチャンネルを上記オートスキャン手段に獲得させることを特徴とする請求項１乃至４の何れかに記載のテレビジョン放送受信装置。
【請求項６】
上記チューナ部は、
アナログのテレビジョン放送信号を受信するものであり、
上記オートスキャン手段は、
上記テレビジョン放送信号から抽出された水平同期信号のハイ／ローを同期信号閾値を基準に反転させ、
反転後の反水平同期信号がハイとなった時点を起点として、上記反水平同期信号のハイ期間では上記単位ステップを用いて第１所定単位ステップを零に向かってカウントダウンする一方で上記反水平同期信号のロー期間では該単位ステップを用いて該第１所定単位ステップをカウントアップすると共に、上記単位ステップを用いて第２所定単位ステップを零に向かってカウントダウンし、
上記第２所定単位ステップを零とするまでの間に上記第１所定単位ステップが零となった場合に受信可能なチャンネルを獲得し、
上記チャンネル獲得条件変更手段は、弱電界状態の設定の方が強電界状態の設定よりも高くされた上記同期信号閾値及び弱電界状態の設定の方が強電界状態の設定よりも少なくされた上記第１所定単位ステップを変更することで上記所定の信号強度の設定を変更することを特徴とする請求項１に記載のテレビジョン放送受信装置。
【請求項７】
ユーザによって選択されたチャンネルに対応するテレビジョン放送信号を選局して受信するチューナ部と、該チューナ部にて選局可能なチャンネルに対応する全周波数について所定の信号強度のテレビ放送信号であるか否かを判断して適切に受信可能なチャンネルを自動的に獲得するオートスキャン工程とを備えるテレビジョン放送受信方法において、
受信状態が強電界状態であるか或いは弱電界状態であるかを設定する為のユーザー操作を受け付けると共に、上記ユーザー操作に基づき上記所定の信号強度の設定を変更して、強電界状態の設定では上記オートスキャン工程における不要チャンネルの獲得を減らす一方で弱電界状態の設定ではより多くのチャンネルを上記オートスキャン工程において獲得させるチャンネル獲得工程を備えることを特徴とするテレビジョン放送受信方法。 
【発明の詳細な説明】
【技術分野】
【０００１】
本発明は、適切に受信できるチャンネルを自動的に獲得するオートスキャン機能を備えたテレビジョン放送受信装置及びテレビジョン放送受信方法に関する。
【背景技術】
【０００２】
ユーザによって選択されたチャンネルに対応するテレビジョン放送信号を選局して受信するチューナ部と、そのチューナ部にて選局可能なチャンネルについて適切に受信することができるチャンネルを自動的に獲得するオートスキャン機能とを備えるテレビジョン放送受信装置がよく知られている。
【０００３】
例えば、特許文献１には、プリセット操作手段に記憶されている周波数情報の中で基準電界強度よりも小さい周波数情報がある数だけ存在した場合に自動的にプリセット処理を行うことで、受信処理に支障をきたさず、かつ、電界強度測定用チューナを用意するコストの削減を図りながらプリセット内容を更新する手間を省く受信装置が開示されている。
【０００４】
また、特許文献２には、テレビ信号が弱電界状態になったとき、通常のＡＦＴ（Automatic Fine Tuning）動作により得られるチューナの選局位置を画質がやや甘くなるように所定の設定分だけずらすことで、検波された映像信号自身のＳ／Ｎの悪化を最小限に抑えるテレビ信号受信装置が開示されている。
【０００５】
また、特許文献３には、強電界であるときに周波数をシフトさせる同調周波数シフトによりＲＦ増幅／ＡＧＣ回路（受信した高周波信号を増幅し、信号が所定出力レベル以上で出力レベルを一定にする回路）に入力される高周波信号のレベルを下げ、ＲＦ増幅／ＡＧＣ回路の飽和を防ぎ、強電界でも安定した受信を可能とする高周波受信機が開示されている。
【０００６】
また、特許文献４には、チャンネルプランに対応するチャンネル周波数に対して、その周波数で選局した時の同期状態と、その周波数＋1.5MHzで選局した時の同期状態と、その周波数−1.0MHzで選局した時の同期状態とを確認し、その周波数で選局したときに同調した信号がチャンネルプランに対応した受信すべきチャンネル信号であるか否かを特定のアルゴリズムに基づいて判断することで、ＡＦＴ回路を用いることなく簡単な回路構成によって誤動作を生じることのない自動チャンネルプリセット方法および装置が開示されている。
【０００７】
また、特許文献５には、利得制御されるＲＦ増幅部をチューナの前段に設け、受信画像の評価のためにＢＥＲ（Bit Error Rate）の閾値を受信決定基準として設定し、オートスキャン時に、ＲＦ増幅部の増幅利得レベルを段階的に可変制御し、ＢＥＲ値を測定すると共に、ＢＥＲ値がＢＥＲ閾値以下に達した時点において、残りのスキャン及び利得制御を止め、受信方向を決定することで、多指向性アンテナの無駄な方向調整時間を省くと共に、常に迅速に最適な受信状態を得るディジタルテレビジョン放送信号受信装置が開示されている。
【特許文献１】特開２００４−１４０５５７号公報
【特許文献２】特開２００２−３１４３８１号公報
【特許文献３】特開２００４−６４２５８号公報
【特許文献４】特開２０００−６９３８５号公報
【特許文献５】特開２００６−３３６３０号公報
【発明の開示】
【発明が解決しようとする課題】
【０００８】
ところで、受信位置の電界強度によってオートスキャン機能により獲得できるチャンネル数が異なることがある。例えば、屋外アンテナや共同アンテナなどに接続されて受信状態が強電界状態となるときには、電界強度が安定し且つ強入力となることから獲得チャンネルが多くなる。しかしながら、強電界状態では本来獲得して欲しい希望チャンネル以外にその希望チャンネルのスプリアスチャンネル（例えば不要な高調波チャンネル）まで獲得してしまう可能性がある。  一方で、反対に室内アンテナなどに接続されて受信状態が弱電界状態となるときには獲得チャンネルが少なくなり、希望チャンネルが獲得できない可能性がある。そうすると、強電界状態ではオートスキャン完了後に不要チャンネルをユーザ操作により削除するという余分な操作が必要となる可能性があった。また、弱電界状態ではオートスキャン完了後に希望チャンネルをユーザ操作により追加するという余分な操作が必要となる可能性があった。
【０００９】
本発明は上記課題に鑑みて為されたもので、その目的とするところは、オートスキャン機能によるチャンネル獲得の際に、受信状態に拘わらずユーザの所望するチャンネルを適切に獲得することができるテレビジョン放送受信装置及びテレビジョン放送受信方法を提供することにある。
【課題を解決するための手段】
【００１０】
上記目的を達成するための請求項１に記載の発明は、ユーザによって選択されたチャンネルに対応するテレビジョン放送信号を選局して受信するチューナ部と、該チューナ部にて選局可能なチャンネルに対応する全周波数について所定の信号強度のテレビ放送信号であるか否かを判断して適切に受信可能なチャンネルを自動的に獲得するオートスキャン手段とを備えるテレビジョン放送受信装置において、受信状態が強電界状態であるか或いは弱電界状態であるかを設定する為のユーザー操作を受け付けると共に、上記ユーザー操作に基づき上記所定の信号強度の設定を変更して、強電界状態の設定では上記オートスキャン手段による不要チャンネルの獲得を減らす一方で弱電界状態の設定ではより多くのチャンネルを上記オートスキャン手段に獲得させるチャンネル獲得条件変更手段を備える構成としてある。
【００１１】
上記のように構成された本発明のテレビジョン放送受信装置において、上記オートスキャン手段によるチャンネル獲得の際に、強電界状態の設定では不要チャンネルを獲得し難くされる一方で弱電界状態の設定ではより多くのチャンネルを獲得することができる。
【００１２】
また、好適には、上記オートスキャン手段は、上記テレビジョン放送信号から抽出された水平同期信号のハイ／ローを同期信号閾値を基準に反転させ、反転後の反水平同期信号のハイ期間が所定期間維持された場合に受信可能なチャンネルを獲得し、上記チャンネル獲得条件変更手段は、弱電界状態の設定の方が強電界状態の設定よりも高くされた上記同期信号閾値及び弱電界状態の設定の方が強電界状態の設定よりも短くされた上記所定期間の少なくとも一方を変更することで上記所定の信号強度の設定を変更する構成としても良い。このように構成されることで、上記ユーザー操作に基づいた上記所定の信号強度の設定変更が適切に行われる。
【００１３】
また、好適には、上記オートスキャン手段は、上記反水平同期信号のハイ期間では該反水平同期信号がハイとなった時点を起点として単位ステップを計数すると共に該単位ステップを所定単位ステップ分だけ計数したか否かを判断することで、上記反水平同期信号のハイ期間が所定期間維持されたか否かを判断し、上記チャンネル獲得条件変更手段は、弱電界状態の設定の方が強電界状態の設定よりも少なくされた上記所定単位ステップを変更することで上記所定期間を変更する構成としても良い。このように構成されることで、上記所定期間の設定変更が適切に行われる。
【００１４】
また、好適には、上記オートスキャン手段は、上記反水平同期信号のハイ期間では上記単位ステップを用いて上記所定単位ステップを零に向かってカウントダウンする一方で上記反水平同期信号のロー期間では上記単位ステップを用いて上記所定単位ステップをカウントアップすると共に、上記反水平同期信号がハイとなった時点を起点として上記単位ステップを用いて第２所定単位ステップを零に向かってカウントダウンし、上記第２所定単位ステップを零とするまでの間に、上記所定単位ステップが零となったか否かを判断することで、上記反水平同期信号のハイ期間が上記所定期間維持されたか否かを判断する構成としても良い。このように構成されることで、受信可能なチャンネルがより正確に獲得される。
【００１５】
また、好適には、上記チャンネル獲得条件変更手段は、受信状態が強電界状態であるか或いは弱電界状態であるかに加えて強電界状態と弱電界状態との間の標準電界状態であるかを設定する為のユーザー操作を受け付け可能であると共に、強電界状態の設定では上記オートスキャン手段による不要チャンネルの獲得を標準電界状態の設定よりも減らす一方で弱電界状態の設定では標準電界状態の設定よりも多くのチャンネルを上記オートスキャン手段に獲得させる構成としても良い。このように構成されることで、ユーザ操作による受信状態の選択の巾が広がると共に、上記オートスキャン手段によるチャンネル獲得の際にユーザー操作に基づいたチャンネルが適切に獲得される。
【００１６】
また、好適には、上記チューナ部は、アナログのテレビジョン放送信号を受信するものであり、上記オートスキャン手段は、上記テレビジョン放送信号から抽出された水平同期信号のハイ／ローを同期信号閾値を基準に反転させ、反転後の反水平同期信号がハイとなった時点を起点として、上記反水平同期信号のハイ期間では上記単位ステップを用いて第１所定単位ステップを零に向かってカウントダウンする一方で上記反水平同期信号のロー期間では該単位ステップを用いて該第１所定単位ステップをカウントアップすると共に、上記単位ステップを用いて第２所定単位ステップを零に向かってカウントダウンし、上記第２所定単位ステップを零とするまでの間に上記第１所定単位ステップが零となった場合に受信可能なチャンネルを獲得し、上記チャンネル獲得条件変更手段は、弱電界状態の設定の方が強電界状態の設定よりも高くされた上記同期信号閾値及び弱電界状態の設定の方が強電界状態の設定よりも少なくされた上記第１所定単位ステップを変更することで上記所定の信号強度の設定を変更する構成としても良い。このように構成されることで、アナログのテレビジョン放送信号を受信するテレビジョン放送受信装置において、上記ユーザー操作に基づいた上記所定の信号強度の設定変更が適切に行われ、受信可能なチャンネルがより正確に獲得される。
【００１７】
また、好適には、上記テレビジョン放送受信装置における処理方法として作用する構成としても良い。すなわち、ユーザによって選択されたチャンネルに対応するテレビジョン放送信号を選局して受信するチューナ部と、該チューナ部にて選局可能なチャンネルに対応する全周波数について所定の信号強度のテレビ放送信号であるか否かを判断して適切に受信可能なチャンネルを自動的に獲得するオートスキャン工程とを備えるテレビジョン放送受信方法において、受信状態が強電界状態であるか或いは弱電界状態であるかを設定する為のユーザー操作を受け付けると共に、上記ユーザー操作に基づき上記所定の信号強度の設定を変更して、強電界状態の設定では上記オートスキャン工程における不要チャンネルの獲得を減らす一方で弱電界状態の設定ではより多くのチャンネルを上記オートスキャン工程において獲得させるチャンネル獲得工程を備える構成としても良い。このように、請求項１にかかる発明と併記して、かかるテレビジョン放送受信方法としての発明を開示している。すなわち、必ずしも実体のある装置に限らず、その方法としても有効であることに相違はない。
【発明の効果】
【００１８】
以上説明したように、請求項１に記載の発明によれば、上記オートスキャン手段によるチャンネル獲得の際に、強電界状態の設定では不要チャンネルを獲得し難くされる一方で弱電界状態の設定ではより多くのチャンネルを獲得することができるので、受信状態に拘わらずユーザの所望するチャンネルを適切に獲得することができるテレビジョン放送受信装置が提供される。これにより、オートスキャン完了後にユーザ操作により希望チャンネルを設定し直すという余分な操作が抑制され、ユーザビリティが向上する。
【００１９】
また、本発明によれば、上記ユーザー操作に基づいた上記所定の信号強度の設定変更が適切に行われるので、強電界状態の設定では上記オートスキャン手段による不要チャンネルの獲得を適切に減らす一方で弱電界状態の設定ではより多くのチャンネルを上記オートスキャン手段に適切に獲得させることができる。
【００２０】
また、本発明によれば、上記所定期間の設定変更が適切に行われるので、上記ユーザー操作に基づいた上記所定の信号強度の設定変更が適切に行われる。
【００２１】
また、本発明によれば、受信可能なチャンネルがより正確に獲得されるので、受信状態に拘わらずユーザの所望するチャンネルを正確に獲得することができる。
【００２２】
また、本発明によれば、ユーザ操作による受信状態の選択の巾が広がると共に、上記オートスキャン手段によるチャンネル獲得の際にユーザー操作に基づいたチャンネルが適切に獲得されるので、ユーザの所望するチャンネルを一層適切に獲得することができる。
【００２３】
また、本発明によれば、上記ユーザー操作に基づいた上記所定の信号強度の設定変更が適切に行われ、受信可能なチャンネルがより正確に獲得されるので、強電界状態の設定では上記オートスキャン手段による不要チャンネルの獲得を一層適切に減らす一方で弱電界状態の設定ではより多くのチャンネルを上記オートスキャン手段に一層適切に獲得させることができる。
【００２４】
さらに、本発明によれば、上記同様の効果を奏するテレビジョン放送受信方法を提供することができる。
【発明を実施するための最良の形態】
【００２５】
以下、図面にもとづいて本発明の実施形態を説明する。
（１）テレビジョン放送受信装置を備える薄型テレビジョン装置の概略構成
（２）テレビジョン放送受信装置におけるチャンネル設定時の制御作動
（３）変形例
（４）まとめ
【００２６】
（１）テレビジョン放送受信装置を備える薄型テレビジョン装置の概略構成
以下、図１を参照して本発明が適用されるテレビジョン放送受信装置１２を備えた液晶テレビジョン装置１０の概略構成を説明する。図１は、液晶テレビジョン装置１０のブロック構成図の一例である。尚、本発明が適用される装置としては液晶テレビジョン装置の他に、プラズマテレビ、リアプロジェクションテレビ、有機ＥＬテレビ等の薄型テレビジョン装置が望ましいが、本発明の要旨を逸脱しない範囲で種々の変形実施の形態が可能である。また、薄型テレビジョン装置でなくとも、ユーザによって選択されたチャンネルに対応するテレビジョン放送信号を選局して受信するチューナ部と、そのチューナ部にて選局可能なチャンネルに対応する全周波数について所定の信号強度のテレビ放送信号であるか否かを判断して適切に受信可能なチャンネルを自動的に獲得するオートスキャン機能とを有するテレビジョン放送受信装置を備えておれば本発明は適用され得る。例えば、上記テレビジョン放送受信装置を備える映像録画機器等に本発明は適用され得る。
【００２７】
図１において、液晶テレビジョン装置１０は、例えばテレビジョン放送受信装置１２と液晶モジュール１４とリモコン装置１６とを備えて構成される。テレビジョン放送受信装置１２は、例えばチューナ部２０と、画像データ生成部２１と、パネル駆動部２２と、ＯＳＤ回路２３と、マイコン２４と、電源回路２５と、記憶部２６と、リモコン受信部２７とを備えている。液晶モジュール１４は、液晶パネル、インバータ部、バックライト等から構成されている。
【００２８】
チューナ部２０は、例えばアンテナ２８と接続されており、マイコン２４の制御によりアンテナ２８で受信されるテレビジョン放送信号の中から１つのチャンネル（例えばユーザによって選局されたチャンネル）に対応するテレビジョン放送信号を選局して受信し、所定の信号増幅処理等を行いつつ、テレビジョン放送信号から中間周波信号としての映像信号を抽出して画像データ生成部２１に出力する。
【００２９】
画像データ生成部２１は、例えば入力された映像信号をその信号レベルに応じてデジタル化するとともに、映像信号から抽出した輝度信号と色差信号とに基づいてマトリクス変換処理を行ない、画像データとしてのＲＧＢ（レッド、グリーン、ブルー）信号を生成する。
【００３０】
パネル駆動部２２は、例えば画像データ生成部２１からＲＧＢ信号が入力されると、このＲＧＢ信号に対して液晶モジュール１４を構成する液晶パネルの画素数（横縦比、ｍ：ｎ）に合わせたスケーリング処理を行い液晶パネルに表示する１画面分の画像データを生成し、その画像データを液晶パネルに出力する。
液晶パネルは、パネル駆動部２２により生成された画像データに基づいて液晶物質が充填された各画素に所定の電圧を印加することによって配列を変化させ、バックライトからの光の透過率を変化させることにより上記画像データに基づく所定の映像を画面に表示する。
【００３１】
ＯＳＤ回路２３は、例えばマイコン２４から入力される制御信号に従って、パネル駆動部２２に所定のＯＳＤ表示(オンスクリーンディスプレイ表示)をさせるためのＯＳＤ表示信号を、画像データ生成部２１からパネル駆動部２２に出力される画像信号に合成（重畳）する。
【００３２】
電源回路２５は、例えば部分共振電源回路であり、商用ＡＣ電源を複数種類の所定の電圧に変換して液晶テレビジョン装置１０の各部へ動作電源電圧を供給する。
【００３３】
リモコン受信部２７は、例えばリモコン装置１６から送信された各種信号を受信し、当該各種信号に基づく各種データを、マイコン２４に出力する。
【００３４】
リモコン装置１６は、例えばユーザによって操作され、当該操作に応じた信号をリモコン受信部２７に送信する。具体的には、リモコン装置１６は、例えば選局するチャンネルを指定する際に操作されるチャンネルキー１６ａやチャンネルアップ/ダウンキー１６ｂ、各種設定を決定する際に操作されるメニューキー１６ｃや選択／決定キー１６ｄなどを有する。
【００３５】
記憶部２６は、例えば磁気的記録媒体、光学的記録媒体、若しくは半導体メモリで構成されている。具体的には、記憶部２６には、チャンネルマップ等が記録されている。チャンネルマップは、例えばチャンネル情報等を記録している。具体的には、チャンネルマップは、例えばリモコン装置１６のチャンネルキー１６ａやチャンネルアップ/ダウンキー１６ｂに割り当てられた仮想チャンネル番号と物理チャンネル番号とを対応付けて記録している。チャンネルマップに記録される情報は、例えば液晶テレビジョン装置１０のよく知られた初期設定処理において決定されて、チャンネルマップに記録されるようになっている。
【００３６】
マイコン２４は、例えばＣＰＵやＲＡＭやＲＯＭなどを有して液晶テレビジョン装置１０全体の動作を制御する。例えば、上記ＲＡＭは、ＣＰＵによって実行される処理プログラムなどを展開するためのプログラム格納領域や処理結果などを格納するデータ格納領域などを備えている。また、上記ＲＯＭは、各種処理プログラムやこれら各種処理プログラムを実行する際に使用されるデータなどを記憶する。そして、上記ＣＰＵは、上記ＲＯＭやＲＡＭなどに書き込まれた各プログラムやデータ等に従って各種の制御動作を行う。
【００３７】
マイコン２４による制御の一例をより具体的に説明する。例えば、リモコン装置１６にてメニューキー１６ｃが押し下げ操作されると、対応する操作信号がリモコン受信部２７を介してマイコン２４へ入力される。そして、マイコン２４はその操作信号が入力されると、メニュー画面の調整項目全てを表す情報をＲＯＭより取得して、いずれかの位置に対応させたカーソルとともにＯＳＤ表示させるＯＳＤ信号をＯＳＤ回路２３に生成させ、画像データ生成部２１からの画像信号にその生成したＯＳＤ信号を重畳する。画像信号にＯＳＤ信号が重畳されると、液晶テレビジョン装置１０の画面にはカーソルとともに設定項目の一覧が表示される。このとき、ユーザはこのメニュー画面に従ってリモコン装置１６に配置された選択／決定キー１６ｄを押し下げ操作することで設定項目の選択入力を行うことができる。すると、マイコン２４は、対応するキー操作を検知してリモコン装置１６から操作入力を受け付ける。
【００３８】
（２）テレビジョン放送受信装置におけるチャンネル設定時の制御作動
図２は、例えばチューナ部２０にて選局可能なチャンネルに対応する全周波数について所定の信号強度のテレビ放送信号であるか否かを判断して適切に受信可能なチャンネルを自動的に獲得するオートスキャン手段に対応する制御作動（オートスキャン処理）を示すフローチャートであり、マイコン２４が有する機能として実現される。
【００３９】
図２において、オートスキャン処理が開始されると、先ず、受信できる可能性のあるアナログテレビジョン放送信号の物理チャンネル番号（周波数）の最小値にセットされる。例えば、受信できる可能性のある物理チャンネル番号が物理Ｃｈ１〜６２であるなら物理Ｃｈが１にセット（Ｃｈ＝１にセット）される（ステップＳ１１）。次いで、例えばチューナ部２０にステップＳ１１にて設定された物理Ｃｈに対応する周波数が設定される（ステップＳ１２）。
【００４０】
次いで、そのチャンネルにおいてテレビジョン放送信号から抽出された水平同期信号のハイ／ローが同期信号閾値（Syncスライスレベル）を基準に反転させられ、その反水平同期信号（ＣＳＹＮＣ）がハイとなった時点を起点として単位ステップ（step）の計数が開始される。計数開始後、反水平同期信号（ＣＳＹＮＣ）のハイ期間では単位ステップ（step）を用いて第１所定単位ステップ（SyncSEP_HC）が零に向かってカウントダウンされる一方で反水平同期信号のロー期間では単位ステップを用いて第１所定単位ステップがカウントアップされる。また、同じく単位ステップを用いて第２所定単位ステップ（SyncSEP_HLC）が零に向かってカウントダウンされる（ステップＳ１３）。
同期信号閾値（Syncスライスレベル）は、水平同期信号のロー期間すなわち反水平同期信号（ＣＳＹＮＣ）のハイ期間を検出する為の設定値である。また、第１所定単位ステップ（SyncSEP_HC）は、受信可能チャンネルの獲得を判断する為の設定値である。また、第２所定単位ステップ（SyncSEP_HLC）は、より正確に受信可能チャンネルの獲得を判断する為に用いられる。
【００４１】
次いで、第２所定単位ステップ（SyncSEP_HLC）が零（カウント０）となったか否かが判断される（ステップＳ１４）。第２所定単位ステップが未だ零とならずステップＳ１４の判断が否定される場合は、このステップＳ１４が繰り返し実行される。第２所定単位ステップが零となってステップＳ１４の判断が肯定される場合は、第２所定単位ステップが零とされるまでの間に第１所定単位ステップ（SyncSEP_HC）が零（カウント０）となったか否かが判断される。すなわち、単位ステップを第１所定単位ステップ分だけ計数したか否かが判断されることで、反水平同期信号（ＣＳＹＮＣ）のハイ期間が所定期間維持されたか否かが判断される。この所定期間は受信可能なチャンネルを獲得できたとする為の所定値であり、反水平同期信号（ＣＳＹＮＣ）のハイ期間が所定期間維持された場合に受信可能なチャンネルが獲得される。（ステップＳ１５）。
第２所定単位ステップが零とされるまでの間に第１所定単位ステップが零となってステップＳ１５の判断が肯定される場合は、受信チャンネル有りのフラグが設定され、現在のチャンネルが受信可能チャンネルとして記憶部２６のチャンネルマップに設定・記憶される（ステップＳ１６）。
ステップＳ１６に次いで、或いはステップＳ１５の判断が否定される場合は、物理Ｃｈに１が加算される（ステップＳ１７）。尚、ステップＳ１５の判断が否定される場合は、ステップＳ１３以降を１回乃至複数回繰り返すようにしても良い。次いで、ステップＳ１７にて１が加算された物理Ｃｈが受信できる可能性のあるテレビジョン放送信号の物理チャンネル番号（周波数）の最大値に１を加えた値であるか否かが判断される。例えば、受信できる可能性のある物理チャンネル番号が物理Ｃｈ１〜６２であるなら物理Ｃｈが６３であるか否かが判断される（ステップＳ１８）。物理Ｃｈが未だ６３とならずステップＳ１８の判断が否定される場合は上記ステップＳ１２以降が繰り返し実行されるが、ステップＳ１８の判断が肯定される場合は本ルーチンが終了させられる。
【００４２】
図３、４は、図２のオートスキャン処理の作動を模式的に示す図である。図３は強電界時の場合であり、図４は反水平同期信号（ＣＳＹＮＣ）のハイ期間を短くしてしまうようなノイズが水平同期信号に重畳された弱電界時の場合であって、いずれの場合もオートスキャン処理において所定の信号強度のテレビ放送信号であるか否かを判断する際の所定の信号強度例えば同期信号閾値（Syncスライスレベル）、第１所定単位ステップ（SyncSEP_HC）等のチャンネル獲得条件（オートスキャン感度ともいう）の設定は同じである。ここでは、強電界状態においてオートスキャン処理による不要チャンネル（スプリアスチャンネル）の獲得を減らすための予め実験的に求められたチャンネル獲得条件に設定されている。例えば、同期信号閾値（Syncスライスレベル）は５０％、第１所定単位ステップ（SyncSEP_HC）は３２ステップ、第２所定単位ステップ（SyncSEP_HLC）は６２ステップに設定されている。
【００４３】
図３、４から明らかなように、強電界状態に合わせてチャンネル獲得条件を設定すると、スプリアスチャンネルは受け難くなるものの、強電界状態では獲得できたチャンネルが弱電界状態では獲得できなくなる可能性がある。そこで、本実施例では、受信状態が強電界状態であるか或いは弱電界状態であるかをユーザーが設定できるようにしすなわちオートスキャン感度をユーザーが設定できるようにし、その設定に基づき所定の信号強度の設定を変更する。
【００４４】
図５は、例えばユーザが設定した受信状態に基づいてオートスキャン処理を実行してチャンネルを獲得するチャンネル設定手段に対応する制御作動（チャンネル設定処理、チャンネルプリセット処理）を示すフローチャートであり、マイコン２４が有する機能として実現される。尚、上記チャンネル設定処理における受信状態の設定はオートスキャン感度の設定に相当する。
【００４５】
図５において、先ず、ユーザによりリモコン装置１６にてメニューキー１６ｃが押し下げ操作されたか否かが判断される（ステップＳ２１）。ステップＳ２１の判断が否定される場合は本ルーチンが終了させられるが、肯定される場合は、図６（ａ）に示すようなメニュー画面が液晶テレビジョン装置１０の画面にＯＳＤ表示される。このメニュー画面には、例えば「チャンネル設定」、「画質設定」、「音質設定」、「時計設定」などの設定項目がいずれかの位置に対応して表示されるカーソルとともにＯＳＤ表示される（ステップＳ２２）。図６（ａ）はカーソルが「チャンネル設定」の位置にあわせて表示されたものを示している。
図６（ａ）に示すようにカーソルが「チャンネル設定」の位置にあるときにリモコン装置１６の選択／決定キー１６ｄが押し下げ操作されると、図６（ｂ）に示すような設定入力画面としての受信状態設定画面がＯＳＤ表示される。この受信状態設定画面では、「強電界状態」、「弱電界状態」の各項目がいずれかの位置に対応して表示されるカーソルとともにＯＳＤ表示され、受信状態の設定入力が受け付けられる（ステップＳ２３）。上記「強電界状態」の項目は、例えば液晶テレビジョン装置１０に室外アンテナや共同アンテナ等のアンテナが接続されて電界強度が安定し且つ強入力となり電波状態が比較的良好な状態となる場合に選択される。上記「弱電界状態」の項目は、例えば液晶テレビジョン装置１０に室内アンテナ等のアンテナが接続されて電界強度が安定せず且つ弱入力となり電波状態が比較的悪い状態となる場合に選択される。尚、図６（ａ）に示すＯＳＤ画面上にて「チャンネル設定」以外の他の設定項目が選択された場合には、その選択された設定項目に応じた処理が実行されることは言うまでもない。
【００４６】
次いで、ステップＳ２３において「強電界状態」及び「弱電界状態」のいずれかが選択され、図３（ｂ）に示すようにカーソルが「決定」の位置にあるときにリモコン装置１６の選択／決定キー１６ｄが押し下げ操作されると、設定された受信状態に基づいたチャンネル獲得条件が設定される（ステップＳ２４）。
具体的には、図４に示すようなノイズが水平同期信号に重畳された弱電界時の場合には、同期信号閾値（Syncスライスレベル）を高くすることで反水平同期信号（ＣＳＹＮＣ）のハイ期間を長くしてチャンネルを獲得し易くできる。よって、同期信号閾値は、弱電界状態の設定の方が強電界状態の設定よりも高く設定される。また、弱電界時の場合には、第１所定単位ステップ（SyncSEP_HC）を少なくすることで反水平同期信号（ＣＳＹＮＣ）のハイ期間が短くされてもチャンネルを獲得し易くできる。つまり、受信可能なチャンネルを獲得できたとする為の所定期間を実質的に短くすることでチャンネルを獲得し易くするのである。よって、第１所定単位ステップは、弱電界状態の設定の方が強電界状態の設定よりも少なく設定される。本実施例では、強電界状態が設定された場合には、同期信号閾値は５０％、第１所定単位ステップは３２ステップに設定される。また、弱電界状態が設定された場合には、同期信号閾値は７０％、第１所定単位ステップは２０ステップに設定される。尚、本実施例では何れの場合も、第２所定単位ステップ（SyncSEP_HLC）は６２ステップに設定されるが、受信状態の設定に基づいて変更されても良い。
このように、ユーザにより設定された受信状態に基づいて同期信号閾値及び第１所定単位ステップを変更することでオートスキャン処理における所定の信号強度（チャンネル獲得条件）の設定を変更するのである。
次いで、図２に示したオートスキャン処理がステップＳ２４にて設定されたチャンネル獲得条件に従って実行される（ステップＳ２５）。
【００４７】
図７は、図４と同じ状態の弱電界時に、図５のチャンネル設定処理において弱電界状態が設定されその設定に基づいてチャンネル獲得条件の設定が変更された場合のオートスキャン処理によるチャンネル獲得結果を模式的に示す図である。図７において、図４の場合と比較して同期信号閾値が５０％から７０％に変更されたことで反水平同期信号（ＣＳＹＮＣ）のハイ期間が長くされると共に第１所定単位ステップが３２ステップから２０ステップに変更されたことで所定期間が実質的に短くされたことから、強電界状態と同じチャンネル獲得条件の設定では獲得できなかったチャンネルが適切に獲得される。
このように、オートスキャン処理によるチャンネル獲得の際に、強電界状態の設定では不要チャンネルを獲得し難くされる一方で弱電界状態の設定ではより多くのチャンネルを獲得することができる。
【００４８】
尚、図５のチャンネル設定処理の内で特に上記ステップＳ２３、Ｓ２４は、例えば受信状態が強電界状態であるか或いは弱電界状態であるかを設定する為のユーザー操作を受け付けると共に、そのユーザー操作に基づき所定の信号強度の設定を変更して、強電界状態の設定ではオートスキャン処理（図２）において不要チャンネルの獲得を減らす一方で弱電界状態の設定ではより多くのチャンネルをオートスキャン処理において獲得させるチャンネル獲得条件変更手段に対応する制御作動（チャンネル獲得条件変更処理）である。
【００４９】
（３）変形例
図５のチャンネル設定処理においては、受信状態の設定は強電界状態であるか或いは弱電界状態であるかの何れかであったが、強電界状態及び弱電界状態に加えて強電界状態と弱電界状態との間の標準電界状態であるかを設定する為のユーザー操作を受け付け可能にしても良い。この場合には、強電界状態の設定ではオートスキャン処理による不要チャンネルの獲得を標準電界状態の設定よりも減らす一方で弱電界状態の設定では標準電界状態の設定よりも多くのチャンネルをオートスキャン処理に獲得させる。具体的には、標準電界状態が設定された場合には、同期信号閾値は５０％、第１所定単位ステップは２０ステップに設定される。或いはまた、標準電界状態が設定された場合には、同期信号閾値は７０％、第１所定単位ステップは３２ステップに設定される。
また、強電界状態及び弱電界状態の何れも設定されないときは標準状態の設定を用いるようにしても良い。
このように構成されることで、ユーザ操作による受信状態の選択の巾が広がると共に、オートスキャン処理によるチャンネル獲得の際にユーザー操作に基づいたチャンネルが適切に獲得される。尚、強電界状態、標準電界状態、弱電界状態の何れかを設定する他に受信状態の設定を受け付け可能にしても良い。
【００５０】
（４）まとめ
上述のように、本実施例によれば、オートスキャン処理によるチャンネル獲得の際に、強電界状態の設定では不要チャンネルを獲得し難くされる一方で弱電界状態の設定ではより多くのチャンネルを獲得することができるので、受信状態に拘わらずユーザの所望するチャンネルを適切に獲得することができるテレビジョン放送受信装置１２が提供される。これにより、オートスキャン完了後にユーザ操作により希望チャンネルを設定し直すという余分な操作が抑制され、ユーザビリティが向上する。
【００５１】
また、本実施例によれば、同期信号閾値（Syncスライスレベル）や第１所定単位ステップ（SyncSEP_HC）を変更することでユーザー操作に基づいた所定の信号強度の設定変更が適切に行われるので、強電界状態の設定ではオートスキャン処理において不要チャンネルの獲得を適切に減らす一方で弱電界状態の設定ではより多くのチャンネルをオートスキャン処理において適切に獲得させることができる。
【００５２】
また、本実施例によれば、ユーザ操作による受信状態の選択の巾が広がると共に、オートスキャン処理によるチャンネル獲得の際にユーザー操作に基づいたチャンネルが適切に獲得されるので、ユーザの所望するチャンネルを一層適切に獲得することができる。
【００５３】
さらに、好適には、テレビジョン放送受信装置１２（薄型テレビジョン装置１０）における処理方法として作用する構成としても良い。
すなわち、ユーザによって選択されたチャンネルに対応するテレビジョン放送信号を選局して受信するチューナ部２０と、チューナ部２０にて選局可能なチャンネルに対応する全周波数について所定の信号強度のテレビ放送信号であるか否かを判断して適切に受信可能なチャンネルを自動的に獲得するオートスキャン工程とを備えるテレビジョン放送受信方法において、受信状態が強電界状態であるか或いは弱電界状態であるかを設定する為のユーザー操作を受け付けると共に、そのユーザー操作に基づき上記所定の信号強度の設定を変更して、強電界状態の設定ではオートスキャン工程における不要チャンネルの獲得を減らす一方で弱電界状態の設定ではより多くのチャンネルをオートスキャン工程において獲得させるチャンネル獲得工程を備える構成としても良い。
このように、必ずしも実体のある装置に限らず、その方法としても有効であることに相違はなく、上記同様の効果を奏するテレビジョン放送受信方法を提供することができる。
【００５４】
以上、本発明の実施例を図面に基づいて詳細に説明したが、本発明はその他の態様においても適用される。
【００５５】
例えば、前述の実施例におけるチャンネル獲得条件となる同期信号閾値、第１所定単位ステップ、第２所定単位ステップの各数値はあくまでも一例であり、設計条件等によって種々の数値が設定される。
【００５６】
なお、上述したのはあくまでも一実施形態であり、本発明は当業者の知識に基づいて種々の変更、改良を加えた態様で実施することができる。
【図面の簡単な説明】
【００５７】
【図１】本発明が適用される液晶テレビジョン装置の構成を例示するブロック図である。
【図２】受信可能なチャンネルを自動的に獲得する制御作動（オートスキャン処理）を示すフローチャートである。
【図３】図２のオートスキャン処理の作動を模式的に例示する図であって、強電界時の場合である。
【図４】図２のオートスキャン処理の作動を模式的に例示する図であって、強電界時の場合と同じチャンネル獲得条件が設定されたときの弱電界時の場合である。
【図５】ユーザが設定した受信状態に基づいてオートスキャン処理を実行してチャンネルを獲得する制御作動（チャンネル設定処理、チャンネルプリセット処理）を示すフローチャートである。
【図６】各種項目を設定するためにＯＳＤ表示される画面である。（ａ）は「チャンネル設定」、「画質設定」、「音質設定」、「時計設定」などの設定したい項目を選択するためのメニュー画面である。（ｂ）はチャンネル設定における受信状態の設定を受け付けるための受信状態設定画面である。
【図７】図４と同じ状態の弱電界時に、図５のチャンネル設定処理において弱電界状態が設定されその設定に基づいてチャンネル獲得条件の設定が変更された場合のオートスキャン処理によるチャンネル獲得結果を模式的に例示する図である。
【符号の説明】
【００５８】
１２：テレビジョン放送受信装置
２０：チューナ部
２４：マイコン（オートスキャン手段、チャンネル獲得条件変更手段） 
【図１】
2009094968.tif 000003
【図２】
2009094968.tif 000004
【図３】
2009094968.tif 000005
【図４】
2009094968.tif 000006
【図５】
2009094968.tif 000007
【図６】
2009094968.tif 000008
【図７】
2009094968.tif 000009